(57)【要約】【課題】キャビネット部品を共用することができ、かつ、ユーザーの要望によるディスクドライブの有無に関する変更作業を容易に行うことが可能な映像表示装置を提供することを目的とする。【解決手段】映像表示装置は、キャビネット部品１と開閉ドア２とを備え、さらに背面カバー３と背面カバー４とを選択的に備えている。ディスクドライブ５の内蔵時に、背面カバー３は、キャビネット部品１における開口１ａの背面側に取り付けられ、ディスクドライブ５を覆う。ディスクドライブ５の非内蔵時に、背面カバー４は、キャビネット部品１における開口１ａの背面側に取り付けられ、かつ、開閉ドア２の固定部であるネジボス２ｄが固定される被固定部である貫通穴４ｂを有している。【選択図】図８
2020005219.tif 000002
【特許請求の範囲】
【請求項１】
ディスクトレイを有するディスクドライブを内蔵可能な映像表示装置であって、
前記ディスクトレイが通過可能な開口が形成されたキャビネット部品と、
前記ディスクトレイの前後移動により前記開口を開閉する本体部と、前記本体部の背面に設けられ前記ディスクトレイの前後移動により前記開口を開閉するように前記本体部を支持する支持部と、前記支持部に形成された固定部とを有する開閉ドアと、
を備え、
さらに第１背面カバーと第２背面カバーとを選択的に備え、
前記ディスクドライブの内蔵時に、前記第１背面カバーは、前記キャビネット部品における前記開口の背面側に取り付けられ、前記ディスクドライブを覆い、
前記ディスクドライブの非内蔵時に、前記第２背面カバーは、前記キャビネット部品における前記開口の背面側に取り付けられ、かつ、前記開閉ドアの前記固定部が固定される被固定部を有する、映像表示装置。
【請求項２】
前記固定部はネジボスであり、
前記被固定部は貫通穴であり、
前記第２背面カバーの前記貫通穴を介して前記開閉ドアの前記ネジボスにネジが螺合されることで、前記開閉ドアと前記第２背面カバーが固定される、請求項１記載の映像表示装置。
【請求項３】
前記固定部は嵌合部であり、
前記被固定部は、前記嵌合部と嵌合可能な被嵌合部であり、
前記開閉ドアの前記嵌合部が前記第２背面カバーの前記被嵌合部に嵌合することで、前記開閉ドアと前記第２背面カバーが固定される、請求項１記載の映像表示装置。
【請求項４】
前記嵌合部と前記被嵌合部はスナップフィットにより結合する、請求項３記載の映像表示装置。
【請求項５】
前記被嵌合部は板状であり、
前記嵌合部は前記板状を挟み込み可能な一対の舌片部を有する、請求項３記載の映像表示装置。
【発明の詳細な説明】
【技術分野】
【０００１】
本発明は、ディスクドライブを備える液晶テレビなどの映像表示装置の開閉ドアの固定構造に関するものである。
【背景技術】
【０００２】
従来のディスクドライブを備える映像表示装置においては、キャビネット部品の前面に形成された開口を開閉するための開閉ドアが設けられている（例えば、特許文献１参照）。ディスクトレイが収納されている状態では、開閉ドアのヒンジ形状がキャビネット部品に嵌合し、スプリングによって開閉ドアは閉じた状態を保持する。ディスクトレイが前方へ移動した際は、開閉ドアを押し出すことで開閉ドアは開いた状態へ変化する。また、ディスクトレイが後方へ移動しディスクドライブに収納される際には、スプリングによって開閉ドアは閉じた状態へ変化する。
【０００３】
他方、従来のディスクドライブを備えていない映像表示装置においては、開閉ドアは不要である。キャビネット部品に受片を設けるとともに開閉ドアに噛合片を設けて、受片と噛合片とを噛合せることによって開閉ドアをキャビネット部品に固定している（例えば、特許文献２参照）。
【先行技術文献】
【特許文献】
【０００４】
【特許文献１】実用新案登録第３１００４８２号公報
【特許文献２】実用新案登録第２５９８４１８号公報
【発明の概要】
【発明が解決しようとする課題】
【０００５】
映像表示装置は、製造工場での組み立て時に内蔵されるディスクドライブの有無が決まる。出荷された後、ディスクドライブの有無に関して変更が生じると再度製造工場へ持ち込み、キャビネット部品を組み替える必要があった。一般的に、キャビネット部品は表示パネルに組み付けられており、構造部品をすべて取り外さなければ組み替えることができない。このように、ディスクドライブの内蔵時と非内蔵時とでキャビネット部品が共用できないことによって、ディスクドライブの有無に関する変更作業に時間および労力を費やす必要があった。
【０００６】
また、キャビネット部品を共用するために、特許文献２に記載の技術のように、キャビネット部品と開閉ドアに噛合せ構造を採用すると、ディスクドライブを備える映像表示装置では、ディスクトレイの出し入れのために開閉ドアを動作させることができないという問題があった。開閉ドアを開閉可能に構成すると、ディスクドライブを備えていない映像表示装置では、ユーザーが容易に開閉ドアを開閉することができるため、機能を持たない開閉ドアが存在することになるという問題もあった。
【０００７】
さらに、従来の映像表示装置は、パーソナルコンピューターのようにユーザーの要望によりカスタマイズできる機能は少ない。例えばディスクドライブを備えていない映像表示装置を購入した後にディスクドライブを追加したい場合でも、据え置き型のディスクドライブを追加することしかできないという問題があった。
【０００８】
そこで、本発明は、キャビネット部品を共用することができ、かつ、ユーザーの要望によるディスクドライブの有無に関する変更作業を容易に行うことが可能な映像表示装置を提供することを目的とする。
【課題を解決するための手段】
【０００９】
本発明に係る映像表示装置は、ディスクトレイを有するディスクドライブを内蔵可能な映像表示装置であって、前記ディスクトレイが通過可能な開口が形成されたキャビネット部品と、前記ディスクトレイの前後移動により前記開口を開閉する本体部と、前記本体部の背面に設けられ前記ディスクトレイの前後移動により前記開口を開閉するように前記本体部を支持する支持部と、前記支持部に形成された固定部とを有する開閉ドアとを備え、さらに第１背面カバーと第２背面カバーとを選択的に備え、前記ディスクドライブの内蔵時に、前記第１背面カバーは、前記キャビネット部品における前記開口の背面側に取り付けられ、前記ディスクドライブを覆い、前記ディスクドライブの非内蔵時に、前記第２背面カバーは、前記キャビネット部品における前記開口の背面側に取り付けられ、かつ、前記開閉ドアの前記固定部が固定される被固定部を有するものである。
【発明の効果】
【００１０】
本発明によれば、映像表示装置は、キャビネット部品と開閉ドアとを備え、さらに第１背面カバーと第２背面カバーとを選択的に備えている。ディスクドライブの内蔵時に、第１背面カバーは、キャビネット部品における開口の背面側に取り付けられ、ディスクドライブを覆う。ディスクドライブの非内蔵時に、第２背面カバーは、キャビネット部品における開口の背面側に取り付けられ、かつ、開閉ドアの固定部が固定される被固定部を有する。
【００１１】
したがって、ディスクドライブの内蔵時と非内蔵時とでキャビネット部品と開閉ドアとを共用することができるため、キャビネット部品と開閉ドアとを着脱する必要がなくなり、ユーザーの要望によるディスクドライブの有無に関する変更作業を容易に行うことができる。
【図面の簡単な説明】
【００１２】
【図１】実施の形態１に係る映像表示装置においてディスクドライブ内蔵時の分解斜視図である。
【図２】実施の形態１に係る映像表示装置においてディスクトレイを収納した状態を示す断面図である。
【図３】実施の形態１に係る映像表示装置においてディスクトレイを収納した状態のキャビネット部品の開口周辺の拡大断面図である。
【図４】実施の形態１に係る映像表示装置が備えるキャビネット部品と開閉ドアとの接続を示す背面斜視図である。
【図５】実施の形態１に係る映像表示装置においてディスクトレイを引き出した状態を示す断面図である。
【図６】実施の形態１に係る映像表示装置においてディスクトレイを引き出した状態のキャビネット部品の開口周辺の拡大断面図である。
【図７】実施の形態１に係る映像表示装置においてディスクドライブ非内蔵時の分解斜視図である。
【図８】実施の形態１に係る映像表示装置においてディスクドライブ非内蔵時の断面図である。
【図９】実施の形態１に係る映像表示装置においてディスクドライブ非内蔵時のキャビネット部品の開口周辺の拡大断面図である。
【図１０】実施の形態１に係る映像表示装置が備える開閉ドアの背面斜視図である。
【図１１】実施の形態２に係る映像表示装置が備える開閉ドアの背面斜視図である。
【図１２】実施の形態２に係る映像表示装置が備える開閉ドアと背面カバーとの接続前の状態を示す斜視図である。
【図１３】実施の形態２に係る映像表示装置が備える開閉ドアと背面カバーとの接続後の状態を示す斜視図である。
【図１４】実施の形態３に係る映像表示装置が備える開閉ドアと背面カバーとの接続前の状態を示す斜視図である。
【図１５】実施の形態３に係る映像表示装置が備える開閉ドアと背面カバーとの接続後の状態を示す斜視図である。
【図１６】実施の形態４に係る映像表示装置が備える開閉ドアの背面斜視図である。
【図１７】実施の形態４に係る映像表示装置が備える開閉ドアと背面カバーとの接続前の状態を示す斜視図である。
【図１８】実施の形態４に係る映像表示装置が備える開閉ドアと背面カバーとの接続後の状態を示す斜視図である。
【発明を実施するための形態】
【００１３】
＜実施の形態１＞
本発明の実施の形態１について、図面を用いて以下に説明する。図１は、実施の形態１に係る映像表示装置においてディスクドライブ５内蔵時の分解斜視図である。図２は、映像表示装置においてディスクトレイ５ａを収納した状態を示す断面図であり、映像表示装置はスタンド９に固定されている。図３は、映像表示装置においてディスクトレイ５ａを収納した状態のキャビネット部品１の開口１ａ周辺の拡大断面図である。図４は、キャビネット部品１と開閉ドア２との接続を示す背面斜視図である。図５は、映像表示装置においてディスクトレイ５ａを引き出した状態を示す断面図である。図６は、映像表示装置においてディスクトレイ５ａを引き出した状態のキャビネット部品１の開口１ａ周辺の拡大断面図である。図７は、映像表示装置においてディスクドライブ５非内蔵時の分解斜視図である。図８は、映像表示装置においてディスクドライブ５非内蔵時の断面図である。図９は、映像表示装置においてディスクドライブ５非内蔵時のキャビネット部品１の開口１ａ周辺の拡大断面図である。図１０は、開閉ドア２の背面斜視図である。
【００１４】
図１と図７に示すように、映像表示装置は、キャビネット部品１、開閉ドア２、および背面パネル６を備えている。映像表示装置はさらに、背面カバー３と背面カバー４とを選択的に備えている。映像表示装置は、ディスクドライブ５を内蔵するか内蔵しないかを選択可能に構成されている。背面カバー３と背面カバー４は、ディスクドライブ５を内蔵する場合と内蔵しない場合とで使い分けられる。すなわち、背面カバー３と背面カバー４以外の部材は共用される。
【００１５】
最初に、ディスクドライブ５を内蔵する場合と内蔵しない場合で共用される部材について説明する。図１〜図４に示すように、キャビネット部品１は正面視にて矩形枠状であり、矩形枠状の下端部の幅が上端部の幅よりも大きくなっている。キャビネット部品１の下端部にディスクドライブ５が通過可能な横長の開口１ａが形成されている。キャビネット部品１における開口１ａの周囲全域に渡って段差１ｂが形成されている。キャビネット部品１における段差１ｂの下側には前後に延びる左右一対の取り付け部１ｃが形成され、一対の取り付け部１ｃには共に穴１ｄが形成されている。
【００１６】
図２、図３および図１０に示すように、開閉ドア２は、本体部２ａ、左右一対の支持部２ｂ、ヒンジ２ｃ、および固定部としてのネジボス２ｄを備えている。本体部２ａは横長の板状であり、キャビネット部品１の開口１ａよりも正面視輪郭が小さくなるように形成されており、キャビネット部品１の段差１ｂの前側に配置されている。本体部２ａは、ディスクドライブ５が有するディスクトレイ５ａ（図５参照）の前後移動により開口１ａを開閉する。
【００１７】
一対の支持部２ｂは、上下方向に延びかつ上端部および下端部よりも中央部が後方に位置するＶ字状である。一対の支持部２ｂの上端部が本体部２ａの背面に固定されている。一対の支持部２ｂは、ディスクトレイ５ａの前後移動により開口１ａを開閉するように本体部２ａを支持する。ヒンジ２ｃは、一対の支持部２ｂの下端部から外側に突出するように形成されており、キャビネット部品１の一対の取り付け部１ｃに形成された穴１ｄにスプリング８を介して挿通されている。開閉ドア２はヒンジ２ｃを軸に回転して開閉動作を行う。ネジボス２ｄは、一対の支持部２ｂの中央部に前後方向に形成されている。ここで、スプリング８は、開閉ドア２が閉動作を行う方向に付勢している。
【００１８】
背面パネル６は、キャビネット部品１の背面に取り付けられ、キャビネット部品１における開口１ａよりも上側の背面を覆う。
【００１９】
次に、図１〜図６を用いて、ディスクドライブ５を内蔵した映像表示装置について説明する。図１、図２および図５に示すように、背面カバー３は、ディスクドライブ５の内蔵時にキャビネット部品１における開口１ａの背面側に取り付けられ、ディスクドライブ５を保護するためにディスクドライブ５を覆う。より具体的には、背面カバー３は、ディスクドライブ５を収容できるように後方に張り出した形状であり、背面カバー３の上端部は例えばネジにより背面パネル６の下端部に固定されている。ここで、背面カバー３が第１背面カバーに相当する。
【００２０】
開閉ドア２はディスクトレイ５ａの前後移動により開閉動作を行う。図５と図６に示すように、ディスクドライブ５からディスクトレイ５ａが前方へ移動した際、スプリング８の付勢力に抗して開閉ドア２の本体部２ａを押し開けることで、開閉ドア２がヒンジ２ｃを軸に回転して開動作を行う。図２と図３に示すように、ディスクトレイ５ａが前方から後方へ移動してディスクドライブ５に収容された際、スプリング８の付勢力により開閉ドア２の本体部２ａが閉じることで、開閉ドア２がヒンジ２ｃを軸に回転して閉動作を行う。このとき、開閉ドア２の本体部２ａはキャビネット部品１の開口１ａと段差１ｂによって初期の位置に戻る。開閉動作に対し、ネジボス２ｄは他の構造部品と干渉しないように配置されている。
【００２１】
次に、図７〜図９を用いて、ディスクドライブ５を内蔵していない映像表示装置について説明する。図７〜図９に示すように、背面カバー４は、ディスクドライブ５を収容する必要がないため、背面カバー３よりも小型である。背面カバー４の上端部は例えばネジにより背面パネル６の下端部に固定されている。なお、図７では背面カバー４の図示を簡略化している。
【００２２】
背面カバー４の下部には前方に凹む凹部４ａが形成されている。凹部４ａにおける一対のネジボス２ｄに対応する位置、すなわち、凹部４ａの左右両端部に貫通穴４ｂが形成されている。背面カバー４の貫通穴４ｂを介して開閉ドア２のネジボス２ｄにネジ７が螺合されることで、開閉ドア２と背面カバー４が固定されている。これにより、ユーザーが開閉ドア２を無理に開けようとしても開けることができない構造となる。ここで、背面カバー４が第２背面カバーに相当する。また、ネジボス２ｄが固定部に相当し、貫通穴４ｂが被固定部に相当する。
【００２３】
以上のように、実施の形態１に係る映像表示装置は、キャビネット部品１と開閉ドア２とを備え、さらに背面カバー３と背面カバー４とを選択的に備えている。ディスクドライブ５の内蔵時に、背面カバー３は、キャビネット部品１における開口１ａの背面側に取り付けられ、ディスクドライブ５を覆う。ディスクドライブ５の非内蔵時に、背面カバー４は、キャビネット部品１における開口１ａの背面側に取り付けられ、かつ、開閉ドア２の固定部が固定される被固定部を有する。
【００２４】
したがって、ディスクドライブ５の内蔵時と非内蔵時とでキャビネット部品１と開閉ドア２とを共用することができるため、キャビネット部品１と開閉ドア２とを着脱する必要がなくなり、ユーザーの要望によるディスクドライブ５の有無に関する変更作業を容易に行うことができる。
【００２５】
固定部はネジボス２ｄであり、被固定部は貫通穴４ｂであり、背面カバー４の貫通穴４ｂを介して開閉ドア２のネジボス２ｄにネジ７が螺合されることで、開閉ドア２と背面カバー４が固定される。したがって、従来の装置に対して部品としてはネジ７が追加されるだけであり、部品点数の増加を抑えつつ、ディスクドライブ５の有無に関する変更作業を容易に行うことが可能な装置を実現できる。
【００２６】
＜実施の形態２＞
次に、実施の形態２に係る映像表示装置について説明する。図１１は、実施の形態２に係る映像表示装置が備える開閉ドア２の背面斜視図である。図１２は、開閉ドア２と背面カバー４との接続前の状態を示す斜視図である。図１３は、開閉ドア２と背面カバー４との接続後の状態を示す斜視図である。なお、実施の形態２において、実施の形態１で説明したものと同一の構成要素については同一符号を付して説明は省略する。
【００２７】
図１１〜図１３に示すように、実施の形態２では、開閉ドア２は、ネジボス２ｄに代えて嵌合部２ｅを備えている。また、背面カバー４は、嵌合部２ｅと嵌合可能な被嵌合部４ｃを備えている。
【００２８】
嵌合部２ｅは、下方および前方が開放された側面視にてＬ字状である。被嵌合部４ｃは、上方および後方が開放された側面視にてＬ字状である。図１２の矢印に示すように、嵌合部２ｅに対して被嵌合部４ｃを下方から上方に組み付けて嵌合させることで、開閉ドア２と背面カバー４が固定される。嵌合部２ｅは、実施の形態１のネジボス２ｄと同様に、開閉ドア２の開閉動作に対して、他の部材と干渉しない位置に配置されている。その後、背面カバー４は例えばネジにより背面パネル６に固定される。なお、図１２に示す被嵌合部４ｃの組み付け方向は一例であり、これに限定されない。
【００２９】
以上のように、実施の形態２に係る映像表示装置では、固定部は嵌合部２ｅであり、被固定部は、嵌合部２ｅと嵌合可能な被嵌合部４ｃであり、開閉ドア２の嵌合部２ｅが背面カバー４の被嵌合部４ｃに嵌合することで、開閉ドア２と背面カバー４が固定される。したがって、ネジ７を用いる必要がないため、実施の形態１の場合よりも部品点数を削減できる。
【００３０】
＜実施の形態３＞
次に、実施の形態３に係る映像表示装置について説明する。図１４は、実施の形態３に係る映像表示装置が備える開閉ドア２と背面カバー４との接続前の状態を示す斜視図である。図１５は、開閉ドア２と背面カバー４との接続後を示す斜視図である。なお、実施の形態３において、実施の形態１，２で説明したものと同一の構成要素については同一符号を付して説明は省略する。
【００３１】
図１４と図１５に示すように、実施の形態３では、実施の形態２に対して、背面カバー４は、被嵌合部４ｃに代えて被嵌合部４ｄを備えている。被嵌合部４ｄは、前後方向に延びる形状であり、被嵌合部４ｄの外端面に上下方向に延びる凸部４ｅを備えている。凸部４ｅは、スナップフィットにより嵌合部２ｅの後壁に引っ掛けることが可能である。図１４の矢印に示すように、嵌合部２ｅに対して被嵌合部４ｄを後方から前方に組み付けてスナップフィットにより結合させることで、開閉ドア２と背面カバー４が固定される。その後、背面カバー４は例えばネジにより背面パネル６に固定される。なお、図１４に示す被嵌合部４ｄの組み付け方向は一例であり、これに限定されない。
【００３２】
以上のように、実施の形態３に係る映像表示装置では、嵌合部２ｅと被嵌合部４ｄはスナップフィットにより結合するため、実施の形態２の場合と同様に、ネジ７を用いる必要がない。これにより、実施の形態１の場合よりも部品点数を削減できる。
【００３３】
実施の形態２では、嵌合部２ｅに対する被嵌合部４ｃの組み付け方向は下方から上方に向かう方向であるため、背面パネル６に対する背面カバー４の組み付け方向とは異なっていた。しかし、実施の形態３では、嵌合部２ｅに対する被嵌合部４ｄの組み付け方向は後方から前方に向かう方向であるため、背面パネル６に対する背面カバー４の組み付け方向と同一であり、実施の形態２の場合よりも組み立て作業が行いやすいという利点がある。
【００３４】
＜実施の形態４＞
次に、実施の形態４に係る映像表示装置について説明する。図１６は、実施の形態４に係る映像表示装置が備える開閉ドア２の背面斜視図である。図１７は、開閉ドア２と背面カバー４との接続前の状態を示す斜視図である。図１８は、開閉ドア２と背面カバー４との接続後の状態を示す斜視図である。なお、実施の形態４において、実施の形態１〜３で説明したものと同一の構成要素については同一符号を付して説明は省略する。
【００３５】
図１６〜図１８に示すように、実施の形態４では、開閉ドア２は、一対の舌片部２ｇを有する嵌合部２ｆを備えている。また、背面カバー４は、板状の被嵌合部４ｆを備えている。一対の舌片部２ｇは互いに対向する位置に配置され、一対の舌片部２ｇの間の隙間は被嵌合部４ｆの厚みよりも僅かに広くなっている。これにより、嵌合部２ｆは板状の被嵌合部４ｆを挟み込み可能である。図１７の矢印に示すように、嵌合部２ｆに対して被嵌合部４ｆを後方から前方に組み付けて嵌合させることで、開閉ドア２と背面カバー４が固定される。開閉ドア２はヒンジ２ｃを軸に回転して開閉動作するため、嵌合部２ｆと被嵌合部４ｆとの前後方向での嵌合にて開閉動作を抑制することができる。その後、背面カバー４は例えばネジにより背面パネル６に固定される。
【００３６】
以上のように、実施の形態４に係る映像表示装置では、被嵌合部４ｆは板状であり、嵌合部２ｆは板状を挟み込み可能な一対の舌片部２ｇを有する。したがって、実施の形態３の場合と同様の効果が得られる。
【００３７】
また、嵌合部２ｆと被嵌合部４ｆの形状は、実施の形態２，３の場合よりも簡単な形状であることから、開閉ドア２と背面カバー４の金型構造を実施の形態２，３の場合よりも簡略化することができる。
【００３８】
なお、本発明は、その発明の範囲内において、各実施の形態を自由に組み合わせたり、各実施の形態を適宜、変形、省略することが可能である。
【符号の説明】
【００３９】
１  キャビネット部品、１ａ  開口、２  開閉ドア、２ａ  本体部、２ｂ  支持部、２ｄ  ネジボス、２ｅ，２ｆ  嵌合部、２ｇ  舌片部、３，４  背面カバー、４ｂ  貫通穴、４ｃ，４ｄ，４ｆ  被嵌合部、５  ディスクドライブ、５ａ  ディスクトレイ。
【図１】
2020005219.tif 000003
【図２】
2020005219.tif 000004
【図３】
2020005219.tif 000005
【図４】
2020005219.tif 000006
【図５】
2020005219.tif 000007
【図６】
2020005219.tif 000008
【図７】
2020005219.tif 000009
【図８】
2020005219.tif 000010
【図９】
2020005219.tif 000011
【図１０】
2020005219.tif 000012
【図１１】
2020005219.tif 000013
【図１２】
2020005219.tif 000014
【図１３】
2020005219.tif 000015
【図１４】
2020005219.tif 000016
【図１５】
2020005219.tif 000017
【図１６】
2020005219.tif 000018
【図１７】
2020005219.tif 000019
【図１８】
2020005219.tif 000020